(57)【要約】  二つの平行な基部（３，４）と、種々の径のドリルビットを挿入する種々の径の複数の平行な孔（５）と、を含む本体（１）を備えており、穿孔時に生ずる粉塵屑を収集するよう本体（１）の孔（５）間に割り込む空隙（１４）が本体（１）内に設けられる。本装置は、基部（３）を閉塞し、基部（３）内の孔（５）を介して粉塵が流出できないようにする本体（１）の孔（５）の最大径と同じ直径の孔（１０）を含む回動カバー（９）を備える。
2009530118.tif 000002
【特許請求の範囲】
【請求項１】
二つの平行な基部（３，４）と、種々の径のドリルビットを挿入する種々の径の複数の平行な孔（５）と、を有する本体（１）を備え、一方の前記基部（４）には穿孔対象面上に滑らず支持されるための外辺部リング形状要素（７）が設けられ、穿孔時に生ずる粉塵屑を収集するために、前記本体（１）の前記孔（５）間に割り込む空隙（１４）を前記本体（１）内に設けることを特徴とする穿孔用ドリルビット案内装置。
【請求項２】
前記本体（１）の支持基部（４）に対向する基部（３）を閉塞するとともに、前記本体（１）の前記孔（５）の最大径に少なくとも一致する直径を有する孔（１０）を含む回動カバー（９）を備える請求項１記載の穿孔用ドリルビット案内装置。
【請求項３】
前記回動カバー（９）を前記本体（１）内に保持する手段（１１，８）を備える請求項２記載の穿孔用ドリルビット案内装置。
【請求項４】
前記回動カバー（９）を前記本体（１）内に保持する手段が前記回動カバー（９）に設けられた突起（１１）を備え、前記突起（１１）は前記本体（１）に設けられた収容部（８）内の逆戻り防止機構により固定される請求項３記載の穿孔用ドリルビット案内装置。
【請求項５】
前記回動カバー（９）の前記突起（１１）が、前記本体（１）の前記収容部（８）と同様にそれぞれの中心に配置される請求項４記載の穿孔用ドリルビット案内装置。
【請求項６】
前記回動カバー（９）が把持を容易にするための溝付き側面（１２）を有する請求項２記載の穿孔用ドリルビット案内装置。
【請求項７】
前記カバー（９）の前記孔（１０）が、前記本体（１）の前記支持基部（４）に対向する前記基部（３）の所定領域（１３）を視認するための拡径部（１０ａ）を含み、前記領域内に前記本体（１）の各孔（５）の直径の表示を含む請求項２記載の穿孔用ドリルビット案内装置。
【請求項８】
前記本体（１）が、前記平行な基部（３，４）により閉塞された側壁（２）を有する請求項１〜７のいずれか１項記載の穿孔用ドリルビット案内装置。
【発明の詳細な説明】
【技術分野】
【０００１】
本発明は、穿孔対象面に垂直である所定位置にドリルを配置するよう配設され、穿孔開始時にはドリルビット（drill bit）が滑らないようにし、穿孔中にはドリルビットの垂直な動きを案内するために備えられるタイプの装置に関する。
【０００２】
本発明の目的は、前記機能性に加え、穿孔時に屑として生ずる粉塵を収集できるようにした装置を提供することにある。
【背景技術】
【０００３】
穿孔に付随する課題は最新技術において知られている。それゆえ、穿孔対象面に垂直である所定位置にドリルビットを配置することが必要であり、続いて穿孔を開始するときには、ドリルビットが側方に滑って要求された位置に孔が作成できないことのないよう予防措置を取る必要がある。一旦穿孔が開始されると、穿孔対象面上に正確に孔を形成するように、ドリルビットの垂直位置を維持しなければならない。穿孔を開始するとドリルビットは極めて簡単に側方へと滑るため、硬質で滑りやすい面ではこの問題はより悪化する。
【０００４】
この欠点を解決すべく、本発明と同じ所有権者は特許文献１に記載の装置を開発した。これは穿孔時のドリルビットのずれ防止器具に関するものである。
【０００５】
提示された器具は、二つの平行な基部と、種々の径のドリルビットの挿入できるよう設けられた種々の径の複数の平行孔と、を有する本体を備えており、穿孔中には前記孔によりドリルビットが案内されるようにしてある。
【０００６】
この器具にはさらに、その本体の基部の一方に装置を穿孔対象面に支持する手段を形成する弾性的な外辺部リング形状要素が配設されており、穿孔時にその動きを阻止して、要求された箇所に面に対して完全に垂直な孔が形成できるようにしてある。
【０００７】
【特許文献１】スペイン実用新案登録出願第２００３０１２１７号明細書
【発明の開示】
【発明が解決しようとする課題】
【０００８】
この器具はその機能を完全に果たすことができる。しかしながら、穿孔の結果得られる粉塵は床に落下し、穿孔が完了した後で床に落ちた粉塵を除去しなければならないという欠点を有するものであった。
【課題を解決するための手段】
【０００９】
前述した目的を解決し達成するため、本発明は、先の項で触れた装置と同様に、二つの平行な基部と、作成しようとする孔の要求に従って種々の径のドリルビットを挿入する種々の径の複数の平行孔と、を有する本体で構成される穿孔用ドリルビット案内装置を発展させたものである。本発明はまた、本体の基部の一方に、穿孔時に装置が動くのを防止するように、穿孔対象面上で滑らず支持されるための外辺部リング形状要素を備えるように規定される。
【００１０】
本発明の主たる新規性は、本体内に空隙が形成されており、本体内に作成された孔の間にこの空隙を割り込ませ、穿孔時に生ずる粉塵を前記空隙内に堆積させて、粉塵が床に落下しないようにしたという事実にある。
【００１１】
本発明装置はさらに、穿孔対象面上への支持用基部に対向する基部を閉塞するとともに、穿孔対象面上に支持する支持基部に対向する基部を介して外部へ粉塵が流出できないようにする回動カバーを組み込むことにより補完される。この回動カバーには本体に作成する孔の最大径と少なくとも同じ直径を有する孔が配設されており、それにより穿孔しなければならないドリルビットの直径に応じた本体の孔に対応させて回動カバーの孔を配置することで、種々の径のドリルビットの使用が可能となるようにしてある。
【００１２】
カバーの孔にはさらに拡径部が配設されており、拡径部を介して本体の支持基部に対向する基部の所定領域を視認することができる。その領域には本体の各孔の直径の表示が含まれる。これによりカバーの孔に対向して配置されるとともに本発明の装置により使用可能な各ドリルビットの直径に対応する本体の孔の直径を視認する覗き穴が提供される。
【００１３】
本発明装置は本体内に回動カバーを保持する手段をさらに備える。この手段は回動カバー内に配設された突起により形成され、突起は本体内に配設された収容部内の逆戻り防止機構により固定される。
【００１４】
本発明の好適な実施形態では、回動カバーの突起と本体の収容部を、それぞれの中心に配置するよう規定してある。
【００１５】
カバーを回動させて、穿孔のため選択された本体の孔に対応して回動カバーの孔を位置決めするよう、回動カバーの把持を容易にする溝を回動カバーの側面が有する点を本発明が規定していることもまた示す必要がある。
【００１６】
本発明の好適な実施形態では、本体は側壁により形成してあり、その開口は平行な基部により閉塞され、基部内には種々の径のドリルビットの挿入用に平行な種々の径の孔が含まれる。この場合、回動カバーは本体の対応する基部内に保持される。
【００１７】
本明細書のよりよき理解を促すべく一連の図面を以下に添付するが、その図面は本明細書と一体部分を形成しており、その中で例示的かつ非限定的特徴をもって本発明の目的が示してある。
【発明を実施するための最良の形態】
【００１８】
添付図面に基づき、以下に本発明を説明する。
【００１９】
本発明は、二つの平行な基部３，４により閉塞された筒状側壁２により形成される本体１を備え、本体１内部には空隙１４が画成されている。
【００２０】
本実施形態によれば、穿孔対象面上に装置を支持する面を形成する基部４は金型内で筒状側壁２と共に得られ、一方、対向する基部３はその後に筒状側壁２の開口に取り付けられるように独立した金型により得られる。
【００２１】
両方の基部３，４には、種々の径のドリルビット挿入用に同軸的に配置された、種々の径の複数の孔５が配設されている。基部３の各孔は基部４の同一径の孔に対向し、種々の径のドリルビットを挿入するための平行な孔を画成している。
【００２２】
孔５に対応し、本体１の筒状側壁２は長手方向凸部と交互する長手方向湾曲凹部からなる構成を有しており、これにより装置の把持が容易になる。
【００２３】
この基部４には外辺部リム６が配設される。外辺部リム６は、穿孔が必要な面上に装置を支持するよう配設された外辺部リング形状要素７の収容部を画成する。前記リング形状要素７は、穿孔中に装置が動かないように、弾性的で滑らない特性を有する。
【００２４】
本発明の装置は、回動カバー９を組み込むことにより補完されている。回動カバー９はその中心領域に、本体１の後方基部３の中心に作成された収容部８内に保持される突起１１を備えている。この突起１１は、回動カバー９が角度方向に動くことができる逆戻り防止機構によって、収容部８内に保持される。
【００２５】
穿孔するために、回動カバー９は孔１０を有するよう規定されている。この孔１０の直径は、本体１の基部３，４内に作成した孔５の最大径と同じである。これにより、カバー９の角度方向の動きにより孔１０が孔５の一つに対応し、より具体的には穿孔に使用するドリルビットの直径に対応する孔５と対応するように配置することができる。
【００２６】
カバー９の孔１０が基部３の領域１３を視認するための拡径部１０ａを備えることもまた示さねばならない。領域１３は、各孔５の直径に対応する数値を含んでおり、各孔５内に挿入されるであろうドリルビットの直径を示す。数値は孔５の一つに対応する孔１０の配置により前もって選択されるものであり、使用するドリルビットの直径は拡径部１０ａを介して領域１３内で視認できるようになっている。
【００２７】
上記した説明に基づくと、穿孔するためには、外辺部リング形状要素７を穿孔対象面上に配置することによって、使用するドリルビットの直径に応じた孔５に対応するように孔を穿設する箇所が配置されることが容易に理解されるだろう。前記直径は回動カバー９の孔１０を穿設用に選択された孔５に合致させる際に拡径部１０ａが形成する覗き穴を介して視認される。
【００２８】
一旦本体１が指定の位置に配置されると、続いて穿孔するためにドリルビットを回動カバー９の孔１０と本体１の基部３，４の孔５とを介して挿入する。これにより、生成された粉塵は基部４の孔５を介して本体１内部へ向け飛散し、粉塵は空隙１４内に収容される。さらに、回動カバー９を配置したことにより、生じた粉塵は本体１の外部へ流出できないようになっている。これにより、穿孔時に発生する粉塵は全て本体１内部に留まるので、粉塵が床に落下して穿孔された場所を汚すことを防止することができる。
【図面の簡単な説明】
【００２９】
【図１】本発明装置を示す分解斜視図である。
【図２】その形成要素を有する本発明装置を示す斜視図である。
【図３】先の図の装置を示す断面図である。
【図１】
2009530118.tif 000003
【図２】
2009530118.tif 000004
【図３】
2009530118.tif 000005
【国際調査報告】
2009530118.tif 000006
2009530118.tif 000007
2009530118.tif 000008
2009530118.tif 000009
2009530118.tif 000010
2009530118.tif 000011